(57)【要約】      （修正有）【課題】カーナビゲーション装置の地図画面において、ユーザが必要とするＶＩＣＳ駐車場アイコンの表示を確保しつつ、必要な地図情報部分がＶＩＣＳ駐車場アイコンの下になって見えなくなることを防止する。【解決手段】停車中では、地図画面上の全地域範囲のＶＩＣＳ駐車場アイコン３０を表示する。これに対し、走行中は、目的地アイコン２８の近辺のＶＩＣＳ駐車場アイコン３０は表示するものの、その他の地域範囲のＶＩＣＳ駐車場アイコン３０は非表示にする。【選択図】図２
2008232900.tif 000002
【特許請求の範囲】
【請求項１】
表示装置に地図を表示する地図表示手段、
前記表示装置に表示されている地図の対応地点に情報マークを表示する情報マーク表示手段、及び
表示中の地図を情報マークの表示区分及び表示制限区分に区分けし、前記情報マーク表示手段が表示区分及び表示制限区分の区分けに従い情報マークを表示又は表示制限するように、前記情報マーク表示手段を制御する表示制御手段、
を備えることを特徴とするナビゲーション装置。
【請求項２】
前記情報マーク表示手段による情報マークの表示制限とは、情報マークを非表示とするか又は情報マークを半透明表示とするかであることを特徴とする請求項１記載のナビゲーション装置。
【請求項３】
前記表示制御手段は、情報マークの表示区分と表示制限区分との区分けを、区分内の地点と現在地、目的地又は誘導経路との距離関係に基づき行うことを特徴とする請求項１又は２記載のナビゲーション装置。
【請求項４】
車両状態を検出する車両状態検出手段、及び
所定の車両状態では、表示中の地図の全体を表示区分とする前記表示制御手段、
を備えることを特徴とする請求項１〜３のいずれかに記載のナビゲーション装置。
【請求項５】
表示装置に地図を表示するステップ、
表示中の地図を情報マークの表示区分及び表示制限区分に区分けするステップ、
表示区分内に対応地点の存在する情報マークを表示中の地図上の該対応地点に表示するステップ、及び
表示制限区分に対応地点の存在する情報マークを表示中の地図上の該対応地点に表示することを制限するステップ、
を備えることを特徴とするナビゲーション装置制御方法。
【請求項６】
請求項１〜４のいずれかに記載のナビゲーション装置の各手段としてコンピュータを機能させるためのプログラム。
【発明の詳細な説明】
【技術分野】
【０００１】
本発明は、表示装置におけるランドマーク等の情報マークの表示を改善したナビゲーション装置、制御方法及びプログラムに関するものである。
【背景技術】
【０００２】
特許文献１は、地図と共にガソリンスタンド等のランドマークを表示装置に表示するカーナビゲーション装置を開示する（特許文献１の図５及び図６）。該カーナビゲーション装置は、車両情報に基づき表示装置について表示又は非表示へ自動的に切替えるようになっており（特許文献１の図２のフローチャート）、ユーザは、ランドマークについての表示又は非表示の切替を自分で一々操作する手間を省くことができる。特許文献１の具体例１（特許文献１の段落００２０）では、ガソリンスタンドのランドマークは、燃料残量が所定値以下になると、表示状態になり、燃料残量が所定値以上になると、非表示となる。
【０００３】
特許文献２は、画面の地図上の対応地点に道路交通情報のマークを表示するカーナビゲーション装置を開示する（特許文献２の図７）。該カーナビゲーション装置では、表示マークに優先順位を付け、地図上で表示マークが重なる場合には、優先順位の上位の方の表示マークのみ表示するようにしている（特許文献２の図７（ｂ））。
【特許文献１】特開２００６−２７５６６３号公報
【特許文献２】特許第３６９６０７３号公報
【発明の開示】
【発明が解決しようとする課題】
【０００４】
特許文献１のカーナビゲーション装置では、ユーザは、ランドマークについての表示又は非表示への切替えの手間を省くことができるものの、ランドマークの表示モードでは、地図画面の全範囲でランドマークが表示されることになる。ユーザは、走行中、画面を凝視することができず、地図上の一部の地域部分については、ランドマークの情報よりも地図の情報を知りたく、かつそれを瞬間的に見なければならないことがある。特許文献１のカーナビゲーション装置では、ユーザが、ランドマークより地図情報の方を重視したい地域部分があっても、該地域部分にランドマークがその時、表示されていると、該地域部分の地図情報が該ランドマークの下に部分的又は全体的に隠れてしまい、該地図情報を瞬間的に知ることができないことがある。
【０００５】
特許文献２のカーナビゲーション装置は、道路交通情報に係る表示マークについて、マーク同士が重なって表示される場合に、優先順位の低い方のマークの表示を中止するものであり、マーク同士が重ならず、広範囲に分布する場合もあり、そのような場合には、特許文献１のカーナビゲーション装置と同様に、ユーザが地図画面上で見たい地域部分の地図情報が部分的又は全体的にマークに隠されて分からなくなったり、瞬間的に分からないことが起こる。
【０００６】
本発明の目的は、地図画面上においてユーザが必要とする地域部分の地図情報が情報マークにより隠れてしまうことを回避しつつ、必要な情報マークの表示を確保することができるナビゲーション装置、制御方法及びプログラムを提供することである。
【課題を解決するための手段】
【０００７】
本発明によれば、情報マークの表示中の地図を、それを所定の基準、例えば該地図上の各地点と現在地、目的地又は誘導経路との距離関係がどうなっているかの基準に従い、情報マークの表示区分及び表示制限区分に区分けする。そして、表示区分では、情報マークを表示し、表示制限区分では、情報マークの表示を制限する。
【０００８】
本発明のナビゲーション装置は次の手段を備えている。
表示装置に地図を表示する地図表示手段、
表示装置に表示されている地図の対応地点に情報マークを表示する情報マーク表示手段、及び
表示中の地図を情報マークの表示区分及び表示制限区分に区分けし、情報マーク表示手段が表示区分及び表示制限区分の区分けに従い情報マークを表示又は表示制限するように、情報マーク表示手段を制御する表示制御手段。
【０００９】
本発明のナビゲーション装置制御方法は次のステップを備えている。
表示装置に地図を表示するステップ、
表示中の地図を情報マークの表示区分及び表示制限区分に区分けするステップ、
表示区分内に対応地点の存在する情報マークを表示中の地図上の該対応地点に表示するステップ、及び
表示制限区分に対応地点の存在する情報マークを表示中の地図上の該対応地点に表示することを制限するステップ。
【００１０】
本発明のプログラムは、本発明のナビゲーション装置の各手段としてコンピュータを機能させる。
【発明の効果】
【００１１】
本発明によれば、情報マークに表示中の地図が区分けされ、情報マークの表示区分では、情報マークが表示され、表示制限区分では、情報マークの表示が制限される。これにより、ユーザは、表示制限区分内では、情報マークに邪魔されることなく、地図情報を見ることができるとともに、所定の情報マークについてはその表示を確保することができる。
【発明を実施するための最良の形態】
【００１２】
図１はカーナビゲーション装置１０の構成図である。カーナビゲーション装置１０は、表示判定処理部１１、地図情報記憶装置１２、表示装置１３、ＶＩＣＳ（Vehicle Information and Communication System）受信装置１４、ランドマーク位置情報記憶装置１５、誘導経路記憶装置１６、自車位置検出装置１７及び走行状態判断処理部１８を有している。
【００１３】
地図情報記憶装置１２は、ＤＶＤ又はハードディスク装置から成り、地図情報を記憶する。表示装置１３は、カラーＬＣＤ（Liquid Crystal Display）から成る。ＶＩＣＳ受信装置１４は、道路上に設置したビーコンやＦＭ多重放送から電波を受信して、渋滞状況、所要時間、工事・交通規制等に関する道路交通情報と共に、駐車場の位置や空きの情報（以下、道路交通情報及び駐車場空き情報等を総称して「ＶＩＣＳ情報」という。）を入手する。
【００１４】
ランドマーク位置情報記憶装置１５は、駐車場、ガソリンスタンド、コンビニエンスストア及びレストラン等のランドマークについての位置情報を記憶している。誘導経路記憶装置１６は、出発地から目的地までの誘導経路を記憶している。誘導経路記憶装置１６は、現在の誘導経路だけでなく、すでに誘導を終了した過去の誘導経路も記憶することができる。ランドマーク位置情報記憶装置１５及び誘導経路記憶装置１６は、地図情報記憶装置１２としてのハードディスク装置が兼ねている。
【００１５】
自車位置検出装置１７は、カーナビゲーション装置１０を搭載している自動車の自車位置（現在地）を、ＧＰＳ衛星から受信したＧＰＳ電波に基づき検出する。走行状態判断処理部１８は、自車位置検出装置１７から自車位置情報を入手して、自車が走行中か停止中かの走行状態を判断する。
【００１６】
表示判定処理部１１は、地図情報記憶装置１２からの地図データに基づき表示装置１３に地図を表示する。表示判定処理部１１は、また、走行状態判断処理部１８から現在地及び走行状態に係る情報を入手し、表示装置１３の地図画面上に現在地を表示したり、地図画面におけるＶＩＣＳアイコンの表示の適否を判断する。表示判定処理部１１は、表示装置１３の地図画面への所定のランドマークの表示の適否を、ＶＩＣＳアイコンの場合と同様に判断し、表示する場合は、ランドマーク位置情報記憶装置１５から該ランドマークの位置情報を入手して、地図画面の対応地点に表示する。表示判定処理部１１は、誘導経路記憶装置１６に記憶している現在の誘導経路を表示装置１３の地図画面上に表示する。
【００１７】
図２は自車の走行期間における表示装置１３の表示画面例である。図２以降の画面では、ＶＩＣＳ駐車場アイコン３０を地図画面上に表示することになっている。ＶＩＣＳ駐車場アイコン３０は、ＶＩＣＳ受信装置１４からのＶＩＣＳ情報から割り出された、地図画面上の地点に、表示される。図２以降の地図画面において、２７は、現在地に対応する地点に表示された現在地アイコンであり、２８は目的地に対応する地点に表示された目的地アイコンである。
【００１８】
自車の走行期間では、目的地から所定距離未満の地域範囲に対応地点が存在するＶＩＣＳ駐車場アイコン３０のみが地図画面上に表示され、その他の地域範囲に対応地点が存在するＶＩＣＳ駐車場アイコン３０は非表示にされる。現在地は、目的地から所定距離以上離れているので、図２の画面では、ＶＩＣＳ駐車場アイコン３０の非表示の地域範囲に属している。
【００１９】
ユーザは、走行中、現在地を含む地域範囲の地図については、ＶＩＣＳ駐車場アイコン３０により隠されることなく、見ることができる。また、走行中も、目的地近辺のＶＩＣＳ駐車場アイコン３０は表示されるので、目的地に到着してから駐車させる駐車場を事前に把握して、それに対処することができる。
【００２０】
なお、現在地が目的地から所定距離未満に近付いた場合には、非表示優先にしてもよいし、表示優先にしてもよい。すなわち、表示優先では、現在地アイコン２７の近辺のＶＩＣＳ駐車場アイコン３０は、その対応地点が目的地から所定距離未満の場所として表示される。非表示優先では、現在地から別の所定距離未満の地域範囲になった駐車場は、目的地から所定距離未満の場所であっても、そのＶＩＣＳ駐車場アイコン３０が非表示となって、その下の地図部分が現れる。
【００２１】
図３は自車の停止期間における表示装置１３の表示画面例である。ユーザの自動車は、赤信号や休憩等により一時的に停止状態になる。停止状態では、図３に示すように、地図画面の全範囲に存在するＶＩＣＳ駐車場アイコン３０が表示される。ユーザ（この場合のユーザは運転者。）は、走行中は地図画面を凝視できないのに対し、停止中は、地図画面を凝視することができるので、地図画面において、一部の地名表示や地図記号（図示のものでは交番）が表示中のＶＩＣＳ駐車場アイコン３０により部分的に隠されていても、隠された部分を理解することができる。
【００２２】
図４は自車の走行期間における表示装置１３の他の表示画面例である。図２の表示画面では、地図上で非表示の地域範囲にあるＶＩＣＳ駐車場アイコン３０が、図４の表示画面では、半透明で表示されている。したがって、ユーザは、地図画面上の全地域範囲のＶＩＣＳ駐車場アイコン３０の位置を知ることができるとともに、半透明表示のＶＩＣＳ駐車場アイコン３０の下にある地名表示や地図記号も知ることができる。
【００２３】
図５は地図画面から全部のＶＩＣＳ駐車場アイコン３０を非表示としたときの表示装置１３の表示画面例である。該カーナビゲーション装置１０では、ユーザの事前設定操作又は自車停止中若しくは走行中の表示切替のユーザ操作により、地図画面から全部のＶＩＣＳ駐車場アイコン３０を非表示にすることができるようにしている。
【００２４】
図２〜図５の表示画面例では、ＶＩＣＳ駐車場アイコン３０の表示及び表示制限について説明しているが、ＶＩＣＳ駐車場アイコン３０以外のＶＩＣＳアイコンや、非ＶＩＣＳアイコンであってランドマーク位置情報記憶装置１５に位置が記憶されているガソリンスタンド、コンビニエンスストア及びレストラン等のランドマークも、ＶＩＣＳ駐車場アイコン３０と同様に処理することができる。
【００２５】
また、図２〜図５の表示画面例では、現在地アイコン２７の近辺のＶＩＣＳ駐車場アイコン３０は非表示にし、目的地アイコン２８の近辺のＶＩＣＳアイコンは表示しているが、ＶＩＣＳアイコンやランドマークによっては、現在地アイコン２７の近辺のそれらは表示し、目的地アイコン２８の近辺のそれらは非表示にしてもよい。さらに、現在地アイコン２７の近辺でかつ誘導経路沿いのガソリンスタンドのランドマークは、地図画面に表示し、その他の地域範囲のガソリンスタンドのランドマークは非表示にすることができる。
【００２６】
図６はカーナビゲーション装置１０において実行されるアイコン表示制御方法のフローチャートである。該アイコン表示制御方法のプログラムは、カーナビゲーション装置１０の電源オン期間において一定の時間間隔で実施される。アイコンとは例えばＶＩＣＳ駐車場アイコン３０である。
【００２７】
Ｓ４１では、走行状態が変化したか否かを判定する。走行状態の変化とは、走行中から停止中へ変化する場合と、停止中から走行中へ変化する場合との２とおりがある。Ｓ４１の判定が正であるならば、Ｓ４２へ進み、否であるならば、該アイコン表示制御方法を終了する。
【００２８】
Ｓ４２では、現在の走行状態が走行中か停止中かを判定する。そして、走行中であれば、Ｓ４５へ進み、停止中であれば、Ｓ４９へ進む。
【００２９】
Ｓ４５では、表示装置１３の地図画面において表示から非表示へ切替えるアイコンがあるか否かを判定する。そして、判定が正であれば、Ｓ４６へ進み、否であれば、該アイコン表示制御方法を終了する。Ｓ４６では、表示装置１３の地図画面において非表示へ切替えるべきと判定したアイコンを非表示にする。
【００３０】
Ｓ４９では、表示装置１３の地図画面において非表示から表示へ切替えるアイコンがあるか否かを判定する。そして、判定が正であれば、Ｓ５０へ進み、否であれば、該アイコン表示制御方法を終了する。Ｓ５０では、表示装置１３の地図画面において表示すべきと判定したアイコンを表示する。
【００３１】
こうして、カーナビゲーション装置１０を搭載する自動車が、停止状態から走行状態へ変化すると、表示装置１３の表示画面は図３のものから図２又は図４のものへ切替わる。また、該自動車が、走行状態から停止状態へ変化すると、表示装置１３の表示画面は図２又は図４のものから図３のものへ切替わる。
【００３２】
図７はナビゲーション装置６０のブロック図である。ナビゲーション装置６０の具体例は前述のカーナビゲーション装置１０である。ナビゲーション装置６０は、カーナビゲーション装置に限定されない。ユーザ携帯型のナビゲーション装置、携帯電話機、ＰＤＡ（Private Digital Assistant）又はその他の移動型情報処理装置であってもよい。ナビゲーション装置６０は、地図表示手段６１、情報マーク表示手段６２及び表示制御手段６３を備えている。
【００３３】
地図表示手段６１は、表示装置６９に地図を表示する。情報マーク表示手段６２は、表示装置６９に表示されている地図の対応地点に情報マークを表示する。表示制御手段６３は、表示中の地図を情報マークの表示区分及び表示制限区分に区分けし、情報マーク表示手段６２が表示区分及び表示制限区分の区分けに従い情報マークを表示又は表示制限するように、情報マーク表示手段６２を制御する。
【００３４】
情報マークの概念は、ＶＩＣＳ駐車場アイコン３０のようなＶＩＣＳアイコン、並びにガソリンスタンド、コンビニエンスストア及びレストラン等のランドマークを含むものとする。情報マークには、地名表示やメニューボタン等、地図画面上に適宜表示するものを含めることもできる。アイコン情報マークについての区分別の表示モードは、自車が走行中か否かを検出して走行中では自動で実施する場合だけでなく、ユーザが所定の手動操作を行って、実施するようになっていてもよい。表示装置６９の具体例は表示装置１３である。
【００３５】
典型的には、情報マーク表示手段６２による情報マークの表示制限とは、情報マークを非表示とするか（例：図２）、又は情報マークを半透明表示とするか（例：図４）である。
【００３６】
表示制御手段６３は、情報マークの表示区分と表示制限区分との区分けを、例えば、区分内の地点と現在地、目的地又は誘導経路との距離関係に基づき行う。前述の図２及び図４の画面例では、目的地から所定距離内の地域範囲が表示区分に設定され、その他の地域範囲が表示制限区分に設定されている。しかしながら、情報マークの実体（例えばレストランの場合、その実体とは、マークとしてではない、その内容たる料理提供とする。）の種類、性質によっては、目的地から所定距離内の地域範囲が表示制限区分に設定され、その他の地域範囲が表示区分に設定されてもよいとする。
【００３７】
また、現在地又は誘導経路から所定距離内の地域範囲が表示区分に設定され、その他の地域範囲が表示制限区分に設定されてもよいし、逆に、現在地又は誘導経路から所定距離内の地域範囲が表示制限区分に設定され、その他の地域範囲が表示区分に設定されてもよい。さらに、現在地のみ、目的地のみ又は誘導経路のみというように、１つの因子のみに着目し、該因子との距離に基づき情報マークの表示区分と表示制限区分との区分けをするのではなく、複数の因子を組合せて、どれか１つの因子から所定距離内であれば、そこは、表示区分に区分けしたり、又は表示制限区分に区分けしたりすることもできる。
【００３８】
時刻や曜日を因子に加味して、或る時間帯や曜日では、目的地アイコン２８の近辺のレストランのランドマークを表示し、その他の地域範囲を表示制限し、別の時間帯や曜日では、現在地アイコン２７や誘導経路近辺のレストランのランドマークを表示し、その他の地域範囲を表示制限することもできる。
【００３９】
さらに、複数種類の情報マーク（例：駐車場のランドマークとレストランのランドマーク）を同時に地図画面に表示する場合には、第１の情報マーク（例：駐車場のランドマーク）については、目的地近辺のみを表示区分とし、第２の情報マーク（例：レストラン）については、現在地近辺のみを表示区分として、区分別に、表示される情報マークの種類を相違させることも可能である。
【００４０】
ナビゲーション装置６０は、好ましくは、車両状態を検出する車両状態検出手段６７を備える。これに伴い、表示制御手段６３は、所定の車両状態では、表示中の地図の全体を表示区分とする。ナビゲーション装置６０の具体例としてのカーナビゲーション装置１０における該所定の車両状態とは、停車状態であり、停車状態では、図３で説明したように、区分け別表示及び表示制限についての区分けが解除されて、地図画面の全地域範囲についてＶＩＣＳ駐車場アイコン３０が表示される。
【００４１】
これにより、ユーザは、必要な情報マークの地点を表示装置６９の画面から把握しつつ、必要な部位の地図情報については、情報マークにより隠されることなく、把握することができる。
【００４２】
図８はナビゲーション装置制御方法７５のフローチャートである。ナビゲーション装置制御方法７５はナビゲーション装置６０に適用される。
【００４３】
Ｓ７６では、表示装置６９に地図を表示す。Ｓ７７では、表示中の地図を情報マークの表示区分及び表示制限区分に区分けする。Ｓ７８では、表示区分内に対応地点の存在する情報マークを表示中の地図上の該対応地点に表示する。Ｓ７９では、表示制限区分に対応地点の存在する情報マークを表示中の地図上の該対応地点に表示することを制限する。
【００４４】
Ｓ７６の処理はナビゲーション装置６０の地図表示手段６１の機能に対応する。Ｓ７７の処理は表示制御手段６３の機能に対応する。Ｓ７８，Ｓ７９の処理は、表示制御手段６３により制御された情報マーク表示手段６２の機能に対応する。Ｓ７８，Ｓ７９の処理は、順番を入れ替えて実施されても、又は並列実施されてもよい。各ステップの処理についての具体的態様は、ナビゲーション装置６０においてそれに対応する手段の機能についての具体的態様を適用することができる。Ｓ７７では、車両状態検出手段６７の機能に対応する処理を付加、すなわち、検出した車両状態に基づき区分けを行うことができる。
【００４５】
本発明を適用したプログラムは、コンピュータをナビゲーション装置６０の各手段として機能させる。本発明を適用した別のプログラムは、ナビゲーション装置制御方法７５の各ステップをコンピュータに実行させる。
【００４６】
本発明を最良の形態について説明したが、本発明は、これに限定されるものではなく、発明の要旨を逸脱しない範囲で最良の形態における各構成要素を変形して具体化できる。また、最良の形態に開示されている複数の構成要素の便宜な組み合わせにより、種々の発明を形成できる。本明細書が開示する発明には、最良の形態に示される全構成要素からいくつかの構成要素を削除したり、異なる最良の形態に係る構成要素同士を組み合わせたりしたものも含まれる。
【図面の簡単な説明】
【００４７】
【図１】カーナビゲーション装置の構成図である。
【図２】自車の走行期間における表示装置の表示画面例である。
【図３】自車の停止期間における表示装置の表示画面例である。
【図４】自車の走行期間における表示装置の他の表示画面例である。
【図５】地図画面から全部のＶＩＣＳ駐車場アイコンを非表示としたときの表示装置の表示画面例である。
【図６】カーナビゲーション装置において実行されるアイコン表示制御方法のフローチャートである。
【図７】ナビゲーション装置のブロック図である。
【図８】ナビゲーション装置制御方法のフローチャートである。
【符号の説明】
【００４８】
６０：ナビゲーション装置、６１：地図表示手段、６２：情報マーク表示手段、６３：表示制御手段、６７：車両状態検出手段、６９：表示装置、７５：ナビゲーション装置制御方法。
【図１】
2008232900.tif 000003
【図２】
2008232900.tif 000004
【図３】
2008232900.tif 000005
【図４】
2008232900.tif 000006
【図５】
2008232900.tif 000007
【図６】
2008232900.tif 000008
【図７】
2008232900.tif 000009
【図８】
2008232900.tif 000010